(57)【要約】      （修正有）【課題】釣糸がロータとスプールの間からスプール軸へ浸入することを防止し、釣糸による糸絡みをすることを回避しつつ、ふけ落ちた釣糸を容易に解放することができる魚釣用スピニングリールを提供する。【解決手段】魚釣用スピニングリール１０は、ハンドル５と、ラインガイド３５が設けられたアーム部３２を有し、該ハンドル５の回転操作に連動して回転するロータ３と、スプールとを備え、該アーム部３２に設けたラインガイド３５を介して該スプールに釣糸を巻回するものであり、前記ロータ３は、前記アーム部３２を支持する筒部３１を備え、前記筒部３１の周壁面には開口部３０が形成され、該開口部３０の縁部に前記筒部３１の後部側へ向けて突出する釣糸係止部３０５が設けられ、該釣糸係止部３０５は前記開口部３０の中心線を基準に非対称に形成されている。【選択図】図２
2020018217.tif 000002
【特許請求の範囲】
【請求項１】
ハンドルと、ラインガイドが設けられたアーム部を有し、該ハンドルの回転操作に連動して回転するロータと、スプールとを備え、該アーム部に設けたラインガイドを介して該スプールに釣糸を巻回する魚釣用スピニングリールであって、
前記ロータは、前記アーム部を支持する筒部を備え、前記筒部の周壁面には開口部が形成され、該開口部の縁部に前記筒部の後部側へ向けて突出する釣糸係止部が設けられ、該釣糸係止部は前記開口部の中心線を基準に非対称に形成されていることを特徴とする魚釣用スピニングリール。
【請求項２】
前記釣糸係止部は、前記開口部の縁部のうち前側となる前記縁部に設けられていることを特徴とする請求項１に記載の魚釣用スピニングリール。
【請求項３】
前記釣糸係止部は、凸状に形成されていることを特徴とする請求項１又は２に記載の魚釣用スピニングリール。
【請求項４】
凸状に形成されている前記釣糸係止部の凸状端部は、前記筒部の径方向外側からかつ該筒部の前部側を下側としてみた場合、前記開口部の中心線よりも左側に形成されていることを特徴とする請求項３に記載の魚釣用スピニングリール。
【請求項５】
前記凸状に形成されている前記釣糸係止部は、右側部と左側部を備え、前記開口部の中心線に対する該右側部の角度（α）は、前記開口部の中心線に対する該左側部の角度（β）よりも大きいことを特徴とする請求項４に記載の魚釣用スピニングリール。
【請求項６】
前記開口部の中心線に対する該右側部の角度（α）は、４５度から８０度までの範囲の角度であることを特徴とする請求項５に記載の魚釣用スピニングリール。
【請求項７】
前記開口部の中心線に対する該左側部の角度（β）は、３０度以下の角度であることを特徴とする請求項５又は６に記載の魚釣用スピニングリール。
【請求項８】
前記左側部と前記右側部とは湾曲して形成されていることを特徴とする請求項５から７までのいずれか１項に記載の魚釣用スピニングリール。
【請求項９】
前記開口部の前側の縁部で前記釣糸係止部以外の左右の縁部の高さは１ｍｍ以上であることを特徴とする請求項１から８に記載の魚釣用スピニングリール。
【請求項１０】
前記開口部の前側の縁部の開口角度（Ａ）は６０度以上であることを特徴とする請求項２に記載の魚釣用スピニングリール。
【請求項１１】
前記釣糸係止部の最大幅は２ｍｍ以上であることを特徴とする請求項１から１０までのいずれか１項に記載の魚釣用スピニングリール。
【請求項１２】
前記釣糸係止部の厚みは０．５−２．０ｍｍの範囲にあることを特徴とする請求項１から１１までのいずれか１項に記載の魚釣用スピニングリール。
【発明の詳細な説明】
【技術分野】
【０００１】
本発明は、魚釣用スピニングリールに関し、特に、魚釣操作中にロータとスプールとの間の軸部材に釣糸が侵入するのを防止する釣糸浸入防止機構を備えた魚釣用スピニングリールに関するものである。
【背景技術】
【０００２】
従来より、釣糸を案内するラインローラが設けられたベール支持部材を有するアーム部、およびアーム部が連結される筒部を有して構成されるロータと、釣糸巻回胴部が設けられるスプールとを備える様々な魚釣用スピニングリールが知られている。
【０００３】
特許文献１には、ハンドルの回転操作に連動回転するロータの腕部に設けた釣糸案内部を介して、前後動するスプールに釣糸を巻回する魚釣用スピニングリールにおいて、前記ロータの前部外周に、ロータ内部への釣糸侵入を阻止する環状凹部を設け、該環状凹部の周溝を形成するリールボディ側の環状壁を該リールボディ側に向けて傾斜形成した魚釣用スピニングリールが開示されている。
【０００４】
また、特許文献１では、このような環状壁５０ａを有する環状凹部の構成により、スプール５のスカート部５ｃの後方から、張力変化、撚れ等の影響でスプール５の内方へ落ちたループ状の釣糸Ｌは、ロータ３の筒状部３ａの外周面上を後方から前方へ移動するが、この時に環状凹部５０のリールボディ２側に傾斜形成した環状壁５０ａの傾斜案内作用によって、釣糸Ｌは、環状凹部５０内に入り易くなり、前方への飛び越えを防止でき、ロータ３の内部への釣糸Ｌの侵入を阻止でき、環状凹部５０の環状壁５０ａの形状を工夫する簡素な構成でコストアップの防止を図りながら、ロータ３内部への糸落ち現象を確実に防止できるとしている。
【先行技術文献】
【特許文献】
【０００５】
【特許文献１】特開２０１０−２５２７０７号公報
【発明の概要】
【発明が解決しようとする課題】
【０００６】
しかしながら、特許文献１に開示の魚釣用スピニングリールでは、ロータの前端外周に環状凹部が設けられ、当該環状凹部はロータの前方へ延出するスプール軸の近傍に配置されており、またロータの後部側に釣糸侵入を阻止する部材も設けられていないため、環状凹部を釣糸が乗り越えて侵入してしまうという問題があった。
【０００７】
本発明の実施形態は、上記のような問題点に鑑み、釣糸がロータとスプールの間からスプール軸へ浸入することを防止し、釣糸による糸絡みをすることを回避しつつ、ふけ落ちた釣糸を容易に解放することができる魚釣用スピニングリールを提供することを目的とする。
【０００８】
本発明の実施形態の他の目的は、本明細書全体を参照することにより明らかとなる。
【課題を解決するための手段】
【０００９】
本発明の一実施形態に係る魚釣用スピニングリールは、ハンドルと、ラインガイドが設けられたアーム部を有し、該ハンドルの回転操作に連動して回転するロータと、スプールとを備え、該アーム部に設けたラインガイドを介して該スプールに釣糸を巻回するものであり、前記ロータは、前記アーム部を支持する筒部を備え、前記筒部の周壁面には開口部が形成され、該開口部の縁部に前記筒部の後部側へ向けて突出する釣糸係止部が設けられ、該釣糸係止部は前記開口部の中心線を基準に非対称に形成されている。
【００１０】
本発明の一実施形態に係る魚釣用スピニングリールにおいて、釣糸係止部は前記開口部の縁部のうち前側となる前記縁部に設けられている。
【００１１】
本発明の一実施形態に係る魚釣用スピニングリールにおいて、釣糸係止部は、凸状に形成されていることを特徴とする請求項１又は２に記載の魚釣用スピニングリール。
【００１２】
本発明の一実施形態に係る魚釣用スピニングリールにおいて、凸状に形成されている前記釣糸係止部の凸状端部は、前記筒部の径方向外側からかつ該筒部の前部側を下側としてみた場合、前記開口部の中心線よりも左側に形成されている。
【００１３】
本発明の一実施形態に係る魚釣用スピニングリールにおいて、前記凸状に形成されている前記釣糸係止部は、右側部と左側部を備え、前記開口部の中心線に対する該右側部の角度（α）は、前記開口部の中心線に対する該左側部の角度（β）よりも大きく構成されている。
【００１４】
本発明の一実施形態に係る魚釣用スピニングリールにおいて、前記開口部の中心線に対する該右側部の角度（α）は、４５度から８０度までの範囲の角度であるよう構成されている。
【００１５】
本発明の一実施形態に係る魚釣用スピニングリールにおいて、前記開口部の中心線に対する該左側部の角度（β）は、３０度以下の角度であるよう構成されている。
【００１６】
本発明の一実施形態に係る魚釣用スピニングリールは、前記左側部と前記右側部とは湾曲して形成されている。
【００１７】
本発明の一実施形態に係る魚釣用スピニングリールは、前記開口部の前側の縁部で前記釣糸係止部以外の左右の縁部の高さは１ｍｍ以上であるよう構成されている。
【００１８】
本発明の一実施形態に係る魚釣用スピニングリールは、前記開口部の前側の縁部の開口角度（Ａ）は６０度以上であるよう構成されている。
【００１９】
本発明の一実施形態に係る魚釣用スピニングリールは、前記釣糸係止部の最大幅は２ｍｍ以上であるよう構成されている。
【００２０】
本発明の一実施形態に係る魚釣用スピニングリールは、前記釣糸係止部の厚みは０．５−２．０ｍｍの範囲にあるよう構成されている。
【発明の効果】
【００２１】
本発明の実施形態により、釣糸がロータとスプールの間からスプール軸へ浸入することを防止し、釣糸による糸絡みをすることを回避しつつ、ふけ落ちた釣糸を容易に解放することができるため、魚釣操作性が向上した魚釣用スピニングリールを提供することが可能となる。
【図面の簡単な説明】
【００２２】
【図１】本発明の一実施形態に係る魚釣用スピニングリールの全体構成を示す図である。
【図２】本発明の一実施形態に係る魚釣用スピニングリールの筒部の拡大図である。
【図３】開口部に釣糸が挿入されて釣糸係止部に係止された状態を示す拡大側面図である。
【図４】釣糸係止部に釣糸が係止された状態を示す図２のＡ−Ａ線に沿う断面図である。
【図５】本発明の他の実施形態に係る魚釣用スピニングリールの開口部の拡大図である。
【図６】本発明の他の実施形態に係る魚釣用スピニングリールの開口部の拡大図である。
【図７】本発明の他の実施形態に係る魚釣用スピニングリールの開口部の拡大図である。
【発明を実施するための形態】
【００２３】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない。以下、本発明の実施形態について図面に基づき説明する。
【００２４】
まず、図１を参照して、本発明の実施形態における魚釣用スピニングリール１０の概略を説明する。以下、本発明に係る魚釣用スピニングリールの実施形態について図面を参照しながら説明する。各実施形態において、同一の部分には同一の符号を付し、重複する説明は省略する。なお、以下の説明において、「前後」「上下」を言うときは、図１に示した方向を基準とする。
【００２５】
図示のように、魚釣用スピニングリール１０は、釣竿（図示していない）に装着するための脚部１Ａが形成されたリール本体１と、リール本体１の前方に回転可能に設けられたロータ３と、このロータ３の回転運動と同期して前後方向移動可能に設けられたスプール４とを備える。
【００２６】
リール本体１には、軸受（図示しない）を介してハンドル軸２が回転可能に支持されており、この突出端部には、巻き取り操作可能なハンドル５が取り付けられている。ハンドル軸２には、軸筒（図示しない）が回り止めされて固定されている。当該軸筒には、ロータ３を巻取駆動するための内歯が形成されたドライブギヤ６が一体的に形成されている。このドライブギヤ６は、ハンドル軸２と直交する方向に延出するとともに内部に軸方向に延出する空洞部を有する回転軸筒８のピニオンギヤ８ａに噛合している。
【００２７】
回転軸筒８は、ピニオンギヤ８ａの前側と後側において、軸受１２ａ、１２ｂを介してリール本体１に回転可能に支持されている。また、回転軸筒８はスプール４側に向けて延出しており、その先端部にロータ３がロータナット３ａを介して取り付けられている。
【００２８】
ピニオンギヤ８ａの前側の軸受１２ａ当該は、その後端がピニオンギヤ８ａの前端、およびリール本体１の前端部中央に形成された凹所の支持部１ｂに突き当てられて保持されている。また、軸受１２ａは、前端が転がり式一方向クラッチ１０との間に介挿される抜け止め部材１３によって軸方向で抜け止めされている。
一方、ピニオンギヤ８ａの後側の軸受１２ｂは、ピニオンギヤ８ａの後端とリール本体１に形成された支持部１ｃとの間で挟持されることにより軸方向から固定されている。
【００２９】
一方向クラッチ１０は、ハンドル５（ロータ３）の釣糸放出方向への逆回転を防止する公知の逆転防止機構（ストッパ）を構成している。一方向クラッチ１０は、リール本体１の下部に設けられた切換部材１１に連動しており、切換部材１１を回動操作することで、一方向クラッチ１０が作動状態と非作動状態とに切り換えられるように構成されている。この場合、切換部材１１を作動状態に切り換えることで、ハンドル５（ロータ３）の逆転方向の回転（釣糸放出方向の回転）が防止されるようになっている。
【００３０】
回転軸筒８の内部には、空洞部が形成されており、この空洞部には、摺動可能なクリアランスを有してスプール軸９が挿通支持されている。スプール軸９の後端には、スプール４（スプール軸９）を前後往復動させるための公知のスプール往復動装置１５が係合している。
【００３１】
ロータ３は、図２に示すように、略円筒状に形成された筒部３１を備えており、その外周には、略１８０°間隔おいて一対のアーム部３２が形成されている。各アーム部３２は、筒部３１の後部（リール本体１側）から径方向外方に突き出した連結部３２ａを介して筒部３１に一体形成されており、連結部３２ａから軸方向に延出している。これにより、筒部３１と各アーム部３２との間には隙間Ｓ１が形成され、この部分に、図１に示すように、スプール４のスカート部４ｃが位置するようになっている。
【００３２】
図２に示すように、一対のアーム部３２の先端には、公知のように、支持部材３３が支軸３４を中心として釣糸巻き取り位置と釣糸放出位置との間で反転可能に支持されており、一方の支持部材３３の先端部には、ラインローラ（釣糸案内部）３５が設けられている。また、両支持部材３３の間には、ベール３６（図示しない）が設けられており、支持部材３３が釣糸放出位置から釣糸巻き取り位置へ反転した際、釣糸をピックアップしてラインガイド３５へ案内する。なお、ベール３６は設けられない構成（ベールレスタイプ）であってもよい。
【００３３】
なお、一対のアーム部３２のうち、一方のアーム部３２の内部には、支持部材３３を釣糸巻き取り位置と釣糸放出位置との間で反転させて振り分け保持する反転保持機構（図示せず）が配設されている。また、一対のアーム部３２には、補強部材３７が設けられている。
【００３４】
補強部材３７は、一対のアーム部３２の側部からロータ３の筒部３１の後部に向けて延出するとともに、筒部３１に接続されている。なお、補強部材３７は、一対のアーム部３２それぞれの両側部に設けておくことが好ましく、両側部に設けられた補強部材３７は、好ましくは略同一の形状とされ、アーム部３２の側部の前部（支持部材３３が設けられる部分）から基部に向かって延出し、基部側に移行するにつれて、次第に離間する形状となっている。すなわち、両アーム部３２が対向する方向の側面視において、略ハの字型となる形状（図示しない）に形成されている。
【００３５】
また、本実施形態では、補強部材３７は、図２に示すように、一対のアーム部３２間で架設された構造となっており、その中間部３７ａの内側には、ロータ３の筒部３１の後部３１ｂが接続されている。これにより、補強部材３７は、一対のアーム部３２間において、切れることなく連続形成されており、リール本体１（図１参照）側に向けて湾曲凸状となっている。
【００３６】
筒部３１の周壁面３１ａには、開口部３０が設けられている。開口部３０は、側面視で略台形状を呈しており、アーム部３２が形成される位置に対して略９０°の対向する位置に形成されている。  開口部３０は、図３に示すように、前縁部３０１と、前縁部３０１に連続する側縁部３０２，３０３と、側縁部３０２，３０３に連続する後縁部３０４と、を備えて構成されている。
【００３７】
本発明の一実施形態に係る魚釣用スピニングリール１０の釣糸係止部３０５は当該開口部３０の縁部３０１のうち前側となる縁部に設けられている。より詳細には、前縁部３０１は、側面視で直線状を呈しており、前縁部３０１の中央部には、後縁部３０４に向けて突出する釣糸係止部３０５が設けられている。
【００３８】
本発明の一実施形態に係る魚釣用スピニングリール１０は、ハンドル５と、ラインガイドが設けられたアーム部３２を有し、該ハンドル５の回転操作に連動して回転するロータ３と、スプール４とを備え、該アーム部３２に設けたラインガイドを介して該スプール４に釣糸Ｌを巻回するものであり、当該ロータ３は、当該アーム部３２を支持する筒部３１を備え、当該筒部３１の周壁面３１ａには開口部３０が形成され、該開口部３０の縁部３０１に当該筒部３１の後部側３０４へ向けて突出する釣糸係止部３０５が設けられ、該釣糸係止部３０５は当該開口部３０の中心線Ｘを基準に非対称に形成されている。
【００３９】
図３に示すように、本発明の一実施形態に係る魚釣用スピニングリール１０において、釣糸係止部３０５は凸状に形成されている。
【００４０】
本発明の一実施形態に係る魚釣用スピニングリール１０において、凸状に形成されている釣糸係止部３０５の凸状端部３０５ｃは、当該筒部３１の径方向外側からかつ該筒部３１の前部側を下側としてみた場合（図２の紙面の上下、左右方向でみた場合）、当該開口部３０の中心線Ｘよりも左側に形成されている。
【００４１】
本発明の上記実施形態により、釣糸がロータとスプールの間からスプール軸へ浸入することを防止し、釣糸による糸絡みをすることを回避しつつ、ふけ落ちた釣糸を容易に解放することができるため、魚釣操作性が向上した魚釣用スピニングリールを提供することが可能となる。
【００４２】
本発明の一実施形態に係る魚釣用スピニングリール１０において、当該凸状に形成されている釣糸係止部３０５は、右側部３０５ａと左側部３０５ｂを備え、当該開口部３０の中心線Ｘに対する該右側部３０５ａの角度（α）は、当該開口部３０の中心線に対する該左側部３０５ｂの角度（β）よりも大きく構成されている。ここで、図２に示すように、右側部３０５ａの角度（α）は、開口部３０の中心線Ｘを基準として、（右側部３０５ａが）同図の紙面の左上方向へなす角度として定義される。また、左側部３０５ｂの角度（β）は、開口部３０の中心線Ｘを基準として、（左側部３０５ｂが）同図の紙面の右上方向へなす角度として定義される。
【００４３】
本発明の一実施形態に係る魚釣用スピニングリール１０において、当該開口部３０の中心線Ｘに対する該右側部３０５ａの角度（α）は、４５度から８０度までの範囲の角度であるよう構成されている。
【００４４】
本発明の一実施形態に係る魚釣用スピニングリール１０において、当該開口部３０の中心線Ｘに対する該左側部３０５ｂの角度（β）は、３０度以下の角度であるよう構成されている。
【００４５】
本発明の一実施形態に係る魚釣用スピニングリール１０は、当該開口部３０の前側の縁部で当該釣糸係止部３０５以外の左右の縁部３０１ｂ、３０１ａの高さＤ１は１ｍｍ以上であるよう構成されている。また、本発明の一実施形態に係る魚釣用スピニングリールは、前記開口部の前側の縁部の開口角度（Ａ）は６０度以上である（図３参照）。
【００４６】
本発明の一実施形態に係る魚釣用スピニングリール１０は、当該釣糸係止部３０５の最大幅が２ｍｍ以上であるよう構成されている。また、本発明の一実施形態に係る魚釣用スピニングリールは、当該釣糸係止部３０５の厚みが０．５−２．０ｍｍの範囲にあるよう構成されている。
【００４７】
また、釣糸係止部３０５は、筒部３１に一体的に設けられており、図４に示すように、筒部３１の周壁面３１ａの円弧状に沿う外面３０５ｇおよび内面３０５ｎを有し、筒部３１の径方向に突出（膨出）することのない形状、つまり、開口部３０内に収まる形状とすることができる。
【００４８】
このような釣糸係止部３０５を開口部３０の前縁部３０１に設けることによって、図３に示すように、釣糸係止部３０５の両側方（図面上では左右両側方）には、釣糸挿入スペースＳ２，Ｓ２が形成される。この釣糸挿入スペースＳ２，Ｓ２は、図４に示すように、釣糸係止部３０５の外面３０５ｇの周方向中心を通る接線方向に、釣糸Ｌが入り込む開口Ｄ１を形成している。開口Ｄ１の大きさは、筒部３１の曲率、開口部３０の大きさ、さらには釣糸係止部３０５の大きさにもよるが、後記するように、ロータ３とスプール４との間に釣糸Ｌが侵入した際に、筒部３１上を後部側から前部側へ向けて移動してきた釣糸Ｌが両釣糸挿入スペースＳ２を通じて釣糸係止部３０５の内側（内面３０５ｎ側）に入り込む大きさとされている。本発明の一実施形態に係る魚釣用スピニングリール１０では、釣糸係止部３０５の片側（左側）が鋭角に立ち上がっているため、当該係止部３０５に釣糸を確実に引っ掛けることができる。
【００４９】
釣糸係止部３０５の内面３０５ｎは、図１に示すように、後方へ向かうに従い外面３０５ｇに向けて傾斜しており、後記するように、ロータ３とスプール４との間に釣糸Ｌが侵入した際に、釣糸係止部３０５の内面３０５ｎ側に釣糸Ｌを導くガイドの役割をなす。なお、図４に示すように、側縁部３０２の角部３０２ａ、側縁部３０３の角部３０３ａ、および釣糸係止部３０５の角部３０５ｄ，３０５ｄを面取りして、釣糸挿入スペースＳ２の開口Ｄ１が広がるように構成してもよい。
【００５０】
従来の態様では、釣糸Ｌの放出または巻き取りの一連の操作の中で、釣糸Ｌの巻き付け状態が崩れて釣糸Ｌが解れたり、張力変化、風の影響等による糸ふけ現象により釣糸Ｌの巻き付け位置が後方へずれて、スプール４のスカート部４ｃの後端部からロータ３へ釣糸Ｌが入り込むと、ロータ３の筒部３１に釣糸Ｌが巻き付く状態となる。
【００５１】
筒部３１に巻き付いた釣糸Ｌは、筒部３１の開口部３０の側縁部３０２，３０３間に亘るようにして、釣糸巻き付け時の張力（釣糸Ｌの放出時の張力）により開口部３０上を後部側から前部側へ移動する。その移動過程において、釣糸Ｌは、開口部３０上を釣糸係止部３０５に近づき、開口Ｄ１を通じて釣糸係止部３０５の両側方の釣糸挿入スペースＳ２，Ｓ２に入り込む。これにより、釣糸Ｌは、釣糸係止部３０５の内面３０５ｎに沿って前部側へ移動し、釣糸係止部３０５の内側（内側前端）に入り込むようにすることができる。
【００５２】
ここで、開口部３０の側縁部３０２，３０３は、図３に示すように、後部側から前部側へ向けてテーパ状に広がっており（開口が周方向に広がっており）、釣糸Ｌは、側縁部３０２，３０３間に亘りつつ後部側から前部側へ移動するので、前部側へ近付くほど図４に矢印で示すようにスプール４の中心に向けて移動するようになり、釣糸係止部３０５の内側（内側前端）にスムーズに入り込むようになる。
【００５３】
既述のように、本発明の一実施形態に係る魚釣用スピニングリール１０では、釣糸係止部３０５の片側（左側）が鋭角に立ち上がっているため、当該係止部３０５に釣糸を確実に引っ掛けることができる。このように釣糸係止部３０５の内側に釣糸Ｌが入り込むことで、釣糸Ｌは、釣糸係止部３０５に係止されて保持される。これにより、スプール軸９に釣糸Ｌが巻き込まれる糸落ち現象が防止されスプール軸９への糸絡みを好適に防止することができる。
【００５４】
また、本発明の一実施形態に係る魚釣用スピニングリール１０では、ベールオープン時に釣糸を引っ張った際、解放側、すなわち、釣糸係止部３０５のも一方の片側（右側）が鈍角に形成されているため、釣糸係止部３０５は釣糸の引張時にふけ落ちた釣糸を容易に解放することができることで、魚釣操作性をより向上させることが可能となる。
【００５５】
上述の説明では、鋭角、鈍角の場合を例としたが、開口部３０の中心線Ｘに対する該右側部３０５ａの角度（α）を、当該開口部３０の中心線Ｘに対する該左側部３０５ｂの角度（β）よりも大きく形成することで、釣糸がロータとスプールの間からスプール軸へ浸入することを防止し、釣糸による糸絡みをすることを回避しつつ、ふけ落ちた釣糸を容易に解放することができるため、魚釣操作性が向上した魚釣用スピニングリールを提供することが可能となる。
【００５６】
また、釣糸係止部３０５は、開口部３０の縁部のうち前側となる前縁部３０１に設けられているので、これよりも開口部３０の後部側に釣糸係止部３０５が設けられている場合に比べて、釣糸係止部３０５に釣糸Ｌが引っ掛かり易くなり、筒部３１の周壁面３１ａ上における釣糸Ｌの移動が効果的に規制されるので、スプール軸９への糸絡みをより一層好適に防止することができる。
【００５７】
また、前後運動するスプール４の位置によっては、開口部３０の前縁部３０１近くで釣糸Ｌがロータ３とスプール４との間に侵入する場合もあり、このような場合においても釣糸係止部３０５に釣糸Ｌが引っ掛かり易くなる。したがって、スプール軸９への糸絡みをより一層好適に防止することができる。
【００５８】
ここで、本実施形態では、釣糸係止部３０５が前縁部３０１に設けられた例を示したが、これに限られることはなく、例えば、側縁部３０２，３０３から開口部３０内の後部側ヘ突出するように設けてもよい。この場合、釣糸係止部３０５は、種々の形状、構造、寸法のものを採用することができる。
【００５９】
次に、図５を参照して、本発明の他の実施形態に係る魚釣用スピニングリール１０の釣糸係止部３０５を説明する。本発明の他の実施形態に係る魚釣用スピニングリール１０では、開口部３０の中心線Ｘに対する該右側部３０５ａの角度（α）を、当該開口部３０の中心線Ｘに対する該左側部３０５ｂの角度（β）よりも大きく形成され、かつ左側部３０５ｂの角度（β）は前述の基準で所定のマイナスの角度に形成されている。また、当該釣糸係止部３０５の当該右側部３０５ａと左側部３０５ｂとは一方若しくは両方が湾曲して形成されることができる。図示の例では、当該右側部３０５ａと左側部３０５ｂは所定のＲ（例えば、各々１０Ｒ、２０Ｒ）をもって紙面の右方向に丸み付けされているが、これに限られない。
【００６０】
このようにして、釣糸がロータとスプールの間からスプール軸へ浸入することを防止し糸絡みをより効果的に回避しつつ、ふけ落ちた釣糸を更に容易に解放することができるため、魚釣操作性がより向上した魚釣用スピニングリールを提供することが可能となる。
【００６１】
次に、図６を参照して、本発明の他の実施形態に係る魚釣用スピニングリール１０の釣糸係止部３０５を説明する。本発明の一実施形態に係る魚釣用スピニングリール１０における釣糸係止部３０５の当該右側部３０５ａと左側部３０５ｂとは一方若しくは両方が湾曲して形成されている。図示の例では、当該右側部３０５ａと左側部３０５ｂは所定のＲ（例えば、各々１０Ｒ、３０Ｒ）をもって紙面の右方向に丸み付けされているが、これに限られない。
【００６２】
このようにして、釣糸がロータとスプールの間からスプール軸へ浸入することを防止し糸絡みをより効果的に回避しつつ、ふけ落ちた釣糸を更に容易に解放することができるため、魚釣操作性がより向上した魚釣用スピニングリールを提供することが可能となる。
【００６３】
次に、図７を参照して、本発明の他の実施形態に係る魚釣用スピニングリール１０の釣糸係止部３０５を説明する。本発明の他の実施形態に係る魚釣用スピニングリール１０では、開口部３０の中心線Ｘに対する該右側部３０５ａの角度（α）を、当該開口部３０の中心線Ｘに対する該左側部３０５ｂの角度（β）よりも大きく形成され、かつ右側部３０５ａの角度（α）は例えば６５度に、左側部３０５ｂの角度（β）は前述の基準で所定のマイナスの角度（例えば、−１０度）に形成されている。
【００６４】
このようにして、釣糸がロータとスプールの間からスプール軸へ浸入することを防止し糸絡みをより効果的に回避しつつ、ふけ落ちた釣糸を更に容易に解放することができるため、魚釣操作性がより向上した魚釣用スピニングリールを提供することが可能となる。
【００６５】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００６６】
１  リール本体
３  ロータ
４  スプール
１０  スピニングリール
３０  開口部
３１  筒部
３２  アーム部
３５  ラインガイド
３０１  前縁部
３０５  釣糸係止部
Ｘ  開口部の中心線
【図１】
2020018217.tif 000003
【図２】
2020018217.tif 000004
【図３】
2020018217.tif 000005
【図４】
2020018217.tif 000006
【図５】
2020018217.tif 000007
【図６】
2020018217.tif 000008
【図７】
2020018217.tif 000009